(57)【要約】【課題】送風装置を近くで使用する場合に、変動風の変動を感じ易くし、使用感を更に高めることを目的とする。【解決手段】第１の空気吸込口と第１の空気吹出口とを連通する第１の風路４００に設けられた羽根２１０と、羽根２１０を回転させるモータ２０６と、モータ２０６の回転数を制御する制御手段と、制御手段によって羽根から送風される風量の大きさを時系列に変化させる変動風モードを設定する変動風入切スイッチ１３とから構成し、第２の空気吸込口と第２の空気吹出口と連通する第２の風路４０２とを備え、本体ケース１の上部には、本体ケース１内面を沿うように羽根２１０と第１の空気吹出口とを連通する第１の風路４００の一部である第１の下流側風路４０１を備え、第１の下流側風路４０１を第２の風路４０２が貫通し、これにより、使用感を更に高めることができる。【選択図】図５
2016194275.tif 000002
【特許請求の範囲】
【請求項１】
第１、第２の空気吹出口と第１、第２の空気吸込口とを備えた略球体の本体ケースと、前記第１の空気吸込口と前記第１の空気吹出口とを連通する第１の風路に設けられた羽根と、前記羽根を回転させるモータと、前記モータの回転数を制御する制御手段と、前記制御手段によって前記羽根から送風される風量の大きさを時系列に変化させる変動風モードを設定する変動風設定スイッチとから構成し、前記第２の空気吸込口と前記第２の空気吹出口と連通する第２の風路とを備え、前記本体ケースの上部には、前記本体ケース内面を沿うように前記羽根と前記第１の空気吹出口とを連通する前記第１の風路の一部である第１の下流側風路を備え、前記第１の下流側風路を前記第２の風路が貫通することを特徴とする送風装置。
【請求項２】
前記第１の空気吹出口の送風方向に対して直角方向の断面積は、前記第１の下流側風路の送風方向に対して直角方向の断面積より小さく、前記第１の下流側風路に旋回抑制手段を設けたことを特徴とする請求項１に記載の送風装置。
【請求項３】
前記本体ケースは、円形の円形開口部を備え、前記円形開口部内から前記円形開口部における中心軸内方へ延びた円筒形状の円筒部を設け、前記円形開口部の端部と前記円筒部との隙間が前記空気吹出口となり、前記旋回抑制手段は、前記円筒部の外面から外方に突出した多数のリブ部であることを特徴とする請求項２に記載の送風装置。
【請求項４】
前記円形開口部の上端部は、前記円筒部の上端部より外方に突出することを特徴とする請求項１から３のいずれかに記載の送風装置。
【発明の詳細な説明】
【技術分野】
【０００１】
本発明は、変動風を送風する送風装置に関するものである。
【背景技術】
【０００２】
従来、この種の送風装置は、ファンと、ファンを回転させるモータとを備え、１／ｆゆらぎ特性の送風機能を付加されたものが知られている（例えば、特許文献１参照）。
【先行技術文献】
【特許文献】
【０００３】
【特許文献１】特開平８−２４７０８５号公報
【発明の概要】
【発明が解決しようとする課題】
【０００４】
このような従来の送風装置においては、５枚のプロペラファンの回転によって、ファンより後方の空気が、ファンの前方へ送風される。プロペラファンによって送風される空気は、プロペラファンの回転軸方向を中心軸として螺旋状に旋回しながら進んでいく。プロペラファンの近くでは、この旋回速度が速いので、送風の乱れが大きく、プロペラファンから離れると、旋回速度が遅くなり、送風の乱れが小さくなる。送風の乱れが大きいと、１／ｆゆらぎの風などの変動風の変動を感じ難くなる。プロペラファンによって、変動風を送風すると、扇風機から離れた位置では、変動風の変動を感じ易いが、扇風機の近くでは、変動風の変動を感じ難くなる。
【０００５】
そこで本発明は、上記従来の課題を解決するものであり、送風装置を近くで使用する場合にも変動風の変動を感じ易くすることで、快適感を向上した送風装置を提供することを目的とする。
【課題を解決するための手段】
【０００６】
そして、この目的を達成するために、本発明は、第１、第２の空気吹出口と第１、第２の空気吸込口とを備えた略球体の本体ケースと、前記第１の空気吸込口と前記第１の空気吹出口とを連通する第１の風路に設けられた羽根と、前記羽根を回転させるモータと、前記モータの回転数を制御する制御手段と、前記制御手段によって前記羽根から送風される風量の大きさを時系列に変化させる変動風モードを設定する変動風設定スイッチとから構成し、前記第２の空気吸込口と前記第２の空気吹出口と連通する第２の風路とを備え、前記本体ケースの上部には、前記本体ケース内面を沿うように前記羽根と前記第１の空気吹出口とを連通する前記第１の風路の一部である第１の下流側風路を備え、前記第１の下流側風路を前記第２の風路が貫通することを特徴とする送風装置としたものであり、これにより所期の目的を達成するものである。
【発明の効果】
【０００７】
本発明によれば、第１、第２の空気吹出口と第１、第２の空気吸込口とを備えた略球体の本体ケースと、前記第１の空気吸込口と前記第１の空気吹出口とを連通する第１の風路に設けられた羽根と、前記羽根を回転させるモータと、前記モータの回転数を制御する制御手段と、前記制御手段によって前記羽根から送風される風量の大きさを時系列に変化させる変動風モードを設定する変動風設定スイッチとから構成し、前記第２の空気吸込口と前記第２の空気吹出口と連通する第２の風路とを備え、前記本体ケースの上部には、前記本体ケース内面を沿うように前記羽根と前記第１の空気吹出口とを連通する前記第１の風路の一部である第１の下流側風路を備え、前記第１の下流側風路を前記第２の風路が貫通するという構成にしたことにより、第１の下流側風路４０１内を旋回している空気は、第１の下流側風路を貫通している複数の第２の風路の外面に当たり、旋回が抑制される。これにより、送風装置の近くで旋回速度が遅くなり、送風装置を近くで使用する場合にも、風量の大きさを時系列に変化させる変動風モードにおける変動風の変動を感じ易いので、快適感が向上するという効果を得ることができる。
【図面の簡単な説明】
【０００８】
【図１】本発明の実施の形態１に係る送風装置の外観図
【図２】同送風装置の分解側面図
【図３】同送風装置の断面図
【図４】同送風装置の第一フレーム及び第一風路部材を送風側極から見た上面図
【図５】同送風装置の送風パターンを示す概念図
【図６】同送風装置の断面図
【図７】同送風装置の断面図
【図８】同送風装置の空気吹出口の断面図
【図９】同送風装置の空気吹出口の拡大断面図である。
【図１０】同送風装置の空気吹出口を示す図
【図１１】同送風装置を空気吹出口の正面図
【発明を実施するための形態】
【０００９】
（実施の形態１）
以下、添付図面を参照して、本発明の実施の形態につき説明し、本発明の理解に供する。
【００１０】
なお、以下の実施の形態は、本発明を具体化した一例であって、本発明の技術的範囲を限定する性格のものではない。また、全図面を通して、同一の部位については同一の番号を付している。さらに、各図面において、本発明に直接には関係しない各部の詳細については説明を省略している。
【００１１】
以下、本発明の実施の形態１に係る送風装置について説明する。
【００１２】
図１は、本発明の実施の形態１に係る送風装置の外観図である。
【００１３】
図１に示すように本体ケース１は、略球体形状をなしており、球体の中心を仮想的に貫通する中心軸２を軸中心としている。
【００１４】
中心軸２は球体の送風側極３と、送風側極３に対向する吸込側極４とでそれぞれ点接している。なお、ここでいう略球体形状とは、一見して球体をなしているという意味であり、後述する開口部などにより一部球体表面の凹凸などで真球にならない点を考慮した表現である。つまり、真球とならない場合であっても一見して球体を成している場合には略球体形状に含まれる。
【００１５】
また、本体ケース１は、球体の両極（送風側極３、吸込側極４）と等距離の位置にて、中心軸２と垂直な切断面５で、略半球体状の第一フレーム６と、同じく略半球体状の第二フレーム７とに２等分されている。
【００１６】
第一フレーム６は、送風側極３を備え、中空形状を成しており、すなわち半球面構造を成す。また、第一フレーム６には、中心軸２に垂直な面で構成される円形の開口部９が送風側極３近傍に設けられている。なお、ここでいう近傍とは、厳密には送風側極３は球の周上にあるため、開口部９が属する平面上とは一致しないことによる表現である。従って、特に開口部９が送風側極３を含んでいるという表現としても差し支えない。さらに、第一フレーム６は、送風側極３を中心として中心軸２の周方向に等間隔に設けられた第２の空気吸込口である誘引空気吸込口８を複数個（本実施の形態１では６個）備えている。
【００１７】
誘引空気吸込口８は、同一径の円形を成しており、各円の中心は中心軸２を中心とした同一周上（中心軸２に垂直である同一断面上）に位置している。ただし、隣接する誘引空気吸込口８とは接触しておらず、すなわちそれぞれ独立することにより、内部空間に後述する複数の送風路を確保している。
【００１８】
開口部９は、その内部に誘引空気吸込口８と連通する第２の空気吹出口である誘引空気吹出口１０を備えているが、詳細は後述する。
【００１９】
第二フレーム７は、吸込側極４を備え、中空形状を成しており、すなわち半球面構造を成す。また、第二フレーム７は、吸込側極４の周囲に後述する空気吸込口を備えている。
【００２０】
図２は、本発明の実施の形態１に係る送風装置の分解側面図である。
【００２１】
図２に示すように、送風装置は、前述の第一フレーム６と第二フレーム７とで構成される略球体の本体の中空空間（内部）に、第一風路部材２０４、配置用空間２１６、第二風路部材２１２が第一フレーム６よりこの順で配置されており、この構成で送風装置用筐体を構成している。また、配置用空間２１６内に、高圧空気発生装置２１１を備えることで、送風装置として機能する。
【００２２】
第一風路部材２０４は、中心軸２に対して垂直の円形断面である誘引空気吹出口１０を備えた上部部材２０２と、当該上部部材２０２との間で中空状の内部空間を形成する下部部材２０３とで形成されている。また、下部部材２０３の壁面外側には、吸込側極４に向けて中心軸２と平行に、複数の支持部２１３（本実施の形態１では６個）が突設されている。ここで突設とは、突き出した状態で設けられていることをいう。
【００２３】
第二風路部材２１２には、前記複数の支持部２１３に対応する複数の当接部２１４（支持部と同数、本実施の形態では６個）が備えられている。また、当接部２１４は、第二風路部材２１２の送風側極３に向けて中心軸２と平行に突設されている。前記支持部２１３の先端部と当接部２１４の先端部とが当接することで、第一風路部材２０４と第二風路部材２１２との間で配置用空間２１６が形成される。ここでいう当接とは、突き当たった状態で接触することをいう。さらに、第二風路部材２１２には、吸込側極４に向けて中心軸２と平行に、中心軸２を中心とした円筒状の係合部２１５が突設されている。
【００２４】
第二フレーム７には、吸込側極４を中心としてその近傍に、第１の空気吸込口である空気吸込口２０１が多数のパンチング孔として設けられている。外部の空気は、空気吸込口２０１を介して略球体状の本体内部に吸引されるが、その仕組みについての詳細は後述する。
【００２５】
高圧空気発生装置２１１は、モータ２０６、基盤カバー２０７、制御手段である基盤２０８、モータカバー２０９、羽根２１０により構成されている。また、高圧空気発生装置２１１は、前述の第一風路部材２０４に固定された、ゴムを素材とした弾性体からなる固定部２０５に固定することにより、前記配置用空間２１６内にて第一風路部材２０４の外壁側に固定される。
【００２６】
続いて、図３及び図４を用いて、送風装置における空気の流れを説明する。図３は、図２にて示した第一フレーム６、第一風路部材２０４、高圧空気発生装置２１１、第二風路部材２１２、第二フレーム７をこの順で配置することにより構成された送風装置を、中心軸２を含む平面で切断した際の断面図である。また、図４は、第一フレーム６及び第一風路部材２０４を、送風側極３側より見た上面図である。
【００２７】
図３において、送風側極３と吸込側極４とから等距離にある球の中心３０１近傍にモータ２０６が配置されており、当該モータ２０６の回転軸を回転させることにより、このモータ２０６の回転軸に接続された羽根２１０が中心軸２を軸に回転する。なお、このモータ２０６の動力源は、本体外部から引き込まれた後述する電源線より供給される電気、又は内蔵する電池から得られる電気等が該当する。
【００２８】
羽根２１０が回転すると、空気吸込口２０１より本体外からの空気が吸引される（送風経路３０３を参照）。吸引された空気は、オリフィスとしての機能を備えた第二風路部材２１２の、空気吸込口２０１側の開口部（空気吸込口側開口部３０２）を経て、配置用空間２１６内の羽根２１０内部（中心部）に流入する。流入した空気は、羽根２１０の送風構造に基づいてその中心軸２から外周方向に向きを変えて排出され、すなわち送風路としても機能する配置用空間２１６の円周外側方向に押し出される。
【００２９】
前記押し出された空気は、その押圧により、第一風路部材２０４の外壁（壁面外部）と第一フレーム６の内壁とで構成される送風路３０４を通過して開口部９に導かれる。ここで開口部９は、図４に示されるように、送風側極３を中心とした円形を成しており、前記第一風路部材２０４に備えられた誘引空気吹出口１０とその中心を同一に構成されている。
【００３０】
開口部９の径は、誘引空気吹出口１０の径よりも大きく設計されており、開口部９と誘引空気吹出口１０の外壁との間の空間がすなわち前記送風路３０４に連通する円環状の第１の空気吹出口である空気吹出口３０７を構成している。結果として、空気吸込口２０１より吸引された空気は、羽根２１０の作用により、空気吹出口３０７から中心軸２と平行方向かつ中心３０１より遠ざかる方向に、環状の気流となって吹き出される。すなわち、本体ケース１は、空気吸込口２０１と空気吹出口３０７とを備え、空気吸込口２０１と空気吹出口３０７とを連通する風路に高圧空気発生装置２１１を設けている。
【００３１】
空気吹出口３０７より吹き出された環状の気流は、誘引効果によってその環状の内部の空気、すなわち誘引空気吹出口１０近傍の空気を同一方向に誘引する。この際、誘引空気吹出口１０に連通する複数の誘引空気吸込口８から空気が誘引され（送風経路３０６を参照）、誘引空気混合部３０５にて混合されて誘引空気吹出口１０に順次送り込まれる。
【００３２】
上述した、環状の気流と誘引空気とが開口部９付近で合成され、発散の少ないスポット風として、中心軸２方向より排出されるのである。
【００３３】
図５は、送風装置の送風パターンを示す概念図である。図５は、変動風モードにおける大風量ノッチと小風量ノッチの時系列に変化する回転数を示す。図１、図３、図５に示すように、本体ケース１の下部には、電源入切スイッチ１１と、風量設定スイッチ１２と、変動風入切スイッチ１３とを備えている。電源入切スイッチ１１によって、送風装置への通電を入り、切りできる。風量設定スイッチ１２は、大風量ノッチと小風量ノッチとを有しており、風量設定スイッチ１２によって大風量ノッチと小風量ノッチとを選択できる。変動風入切スイッチ１３によって、制御手段である基盤２０８より羽根から送風される風量の大きさを時系列に変化させる変動風モードの入り、切りが選択できる。基盤２０８は、これらの風量設定スイッチ１２および変動風入切スイッチ１３に応じて、モータ２０６の回転数を制御するものである。
【００３４】
例えば、電源入切スイッチ１１により、送風装置への通電を入りにし、風量設定スイッチ１２によって、大風量ノッチを選べば、大風量ノッチの回転数による送風される。ここで、変動風入切スイッチ１３によって、変動風モードを入りにすれば、大風量ノッチの複数の回転数による変動風が送風される。これらの大風量ノッチの回転数は、第１の大風量ノッチ回転数と、第２の大風量ノッチ回転数と、第３の大風量ノッチ回転数と、第４の大風量ノッチ回転数とからなる。同様に、小風量ノッチの場合には、小風量ノッチの複数の回転数による変動風が送風される。これらの小風量ノッチの回転数は、第１の小風量ノッチ回転数と、第２の小風量ノッチ回転数と、第３の小風量ノッチ回転数とからなる。
【００３５】
基盤２０８は、大風量ノッチの場合には、第１の大風量ノッチ回転数と、第２の大風量ノッチ回転数と、第３の大風量ノッチ回転数と、第４の大風量ノッチ回転数とを所定時間内において時系列的に切り替える。同様に、小風量ノッチの場合には、第１の小風量ノッチ回転数と、第２の小風量ノッチ回転数と、第３の小風量ノッチ回転数とを所定時間内において時系列的に切り替える。このようにして、基盤２０８は、モータ２０６の回転数を制御し、変動風を送風するものである。以上が本実施の形態１に係る送風装置の構成及び動作の概略である。
【００３６】
図６は、送風装置の断面図である。誘引空気吸込口８の中心を通る垂直断面図である。図７は、送風装置の断面図である。隣り合った誘引空気吸込口８の間を通る垂直断面図である。
【００３７】
図６、図７に示すように、第１の空気吸込口である空気吸込口２０１と第１の空気吹出口である空気吹出口３０７とを連通する風路が、第１の風路４００である。第１の風路４００には、高圧空気発生装置２１１を備えている。本体ケース１内の上部である第一フレーム６内には、高圧空気発生装置２１１と空気吹出口３０７とを連通する第１の下流側風路４０１を備えている。第１の下流側風路４０１は、第１の風路４００の一部であり、略球体形状の本体ケース１内面を沿うような筒形状である。高圧空気発生装置２１１によって、本体ケース１における下部から吸い込んだ空気は、本体ケース１の上下方向における中央部の円周面へ向けて、斜め上方へ吹き出される。この吹き出された空気は、第１の下流側風路４０１を、第一フレーム６内面を沿うように下から上へ流れる。
【００３８】
第２の空気吸込口である誘引空気吸込口８と、第２の空気吹出口である誘引空気吹出口１０と連通する風路が、第２の風路４０２である。本体ケース１の上部である第一フレーム６には、誘引空気吸込口８を備え、この誘引空気吸込口８は、複数の円形状の孔部４０３である。複数の孔部４０３は、本体ケース１を上から見ると、中心軸２に対して放射状に設けられている。第２の風路４０２が、筒形状の第１の下流側風路４０１を水平方向に貫通している。
【００３９】
本実施形態における特徴は、第１の下流側風路４０１を第２の風路４０２が貫通する点である。高圧空気発生装置２１１の羽根２１０から送風される空気は、本体ケース１の上下方向における中央部の円周面へ向けて、斜め上方へ吹き出される。この吹き出された空気は、第１の下流側風路４０１内を、本体ケース１の中心軸２を旋回中心として旋回しながら下から上へ流れる。ここで、第１の下流側風路４０１を複数の第２の風路４０２が貫通しているので、旋回している空気は、隣り合った第２の風路４０２の間を上昇し、第１の下流側風路４０１を貫通している複数の第２の風路４０２の外面に当たり、旋回が抑制される。
【００４０】
このように、第１の下流側風路４０１内で旋回が抑制されるので、第１の空気吹出口である空気吹出口３０７から吹き出す空気も、旋回が抑制される。結果として、送風装置の近くで旋回速度が遅くなり、送風の乱れが小さくなる。これにより、送風装置を近くで変動風入切スイッチによって、風量の大きさを時系列に変化させる変動風モードで使用した場合に、変動風の変動を感じ易くなり、快適感が向上するという効果を得ることができる。
【００４１】
図８は、送風装置の空気吹出口の断面図である。図９は、送風装置の空気吹出口の拡大断面図である。図１０は、送風装置の空気吹出口を示す図である。図１０は、第一フレーム６の一部を外し、第一風路部材２０４を示す図である。図１１は、本体ケース１の上方から見た図である。
【００４２】
図８、図９、図１０、図１１に示すように、第１の下流側風路４０１の送風方向に対して直角方向の断面積は、第１の空気吹出口である空気吹出口３０７の送風方向に対して直角方向の断面積より大きく、第１の下流側風路４０１に旋回抑制手段４０４を設けたものである。
【００４３】
具体的には、本体ケース１は、円形の開口部９を備え、開口部９内から開口部９における中心軸内方へ延びた円筒形状の円筒部４０５を設けている。開口部９の端部４０６と円筒部４０５との隙間が空気吹出口３０７となる。
【００４４】
この点について詳しく説明すると、本体ケース１は、略球体形状である本体ケース１の上半分である第一フレーム６の上部に、円形の開口部９を備えている。この開口部９内には、開口部９内から開口部９の中心軸方向における内方向、つまり下方向へ中心軸が延びた円筒形状の円筒部４０５を備えている。この円筒部４０５は、上部部材２０２の上部であり、上端から下方に延びるにつれて徐々に外方へ広がる形状である。開口部９の端部４０６と円筒部４０５との隙間が、本体ケース１の上方から見ると、円環状のスリット形状である空気吹出口３０７となる。
【００４５】
空気吹出口３０７の風下側、つまり下方には、空気吹出口３０７と連なる第１の下流側風路４０１を備えている。この第１の下流側風路４０１は、本体ケース１である略球体である第一フレーム６の内面と、円筒形状の円筒部４０５の外周面とに囲まれた空間である。第１の下流側風路４０１は、空気吹出口３０７の外縁から下方へ延びると共に外方へ凸形状の曲面である第一フレーム６と、空気吹出口３０７の内縁から下方へ延びると共に内方へ凸形状の曲面である円筒部４０５とに囲まれた空間である。
【００４６】
すなわち、空気吹出口３０７の送風方向に対して直角方向の断面積は、第１の下流側風路４０１の送風方向に対して直角方向の断面積より小さいものである。これにより、羽根２１０から吹き出された空気は、第１の下流側風路４０１内に一旦溜まり、空気吹出口３０７から送風される。第１の下流側風路４０１は、高圧空間となるので、第１の下流側風路４０１内では、旋回し難くなると考えられる。
【００４７】
更に、高圧空間となる第１の下流側風路４０１内に、旋回抑制手段４０４を設けたものである。旋回抑制手段４０４は、円筒部４０５の外面から外方に突出した多数のリブ部４０７である。リブ部４０７は、第１の下流側風路４０１を貫通している第２の風路４０２より上方に配置されている。これにより、旋回している空気は、リブ部４０７に当たり、旋回が抑制されるので、第１の空気吹出口である空気吹出口３０７から吹き出す空気も、旋回が抑制される。
【００４８】
また、開口部９の上端部４０８は、円筒部４０５の上端部４０９より外方に突出するものである。開口部９の上端部４０８と、円筒部４０５の上端部４０９とは、異なる水平面上に配置されている。開口部９の上端部４０８は、円筒部４０５の上端部４０９より上方に位置するものである。
【００４９】
これにより、第１の下流側風路４０１における第一フレーム６の内面に沿って流れる空気は、空気吹出口３０７から内方に向かって吹き出す。ここで、開口部９の上端部４０８は、円筒部４０５の上端部４０９より上方に位置するので、空気吹出口３０７からやや内方に向かって吹き出す空気の一部は、円筒部４０５の上端部４０９に当たることなく吹き出でるので、空気吹出口３０７から吹き出す空気は、内方に向かって吹き出す易くなる。結果として、空気吹出口３０７から吹き出す環状の気流と、この環状の気流によって誘引される誘引空気とが、広がりながら送風されるのを抑制される。これにより、送風装置からより遠く離れた位置まで拡散し難く、発散の少ないスポット風となり、送風装置からより遠く離れた位置でも、変動風の変動を感じる易くなり、快適感が向上するという効果を得ることができる。
【産業上の利用可能性】
【００５０】
送風により清涼感を与えたり空間内の空気循環を促したりする送風装置として有用である。
【符号の説明】
【００５１】
１  本体ケース
２  中心軸
３  送風側極
４  吸込側極
５  切断面
６  第一フレーム
７  第二フレーム
８  誘引空気吸込口（第２の空気吸込口）
９  開口部
１０  誘引空気吹出口（第２の空気吹出口）
１１  電源入切スイッチ
１２  風量設定スイッチ
１３  変動風入切スイッチ
２０１  空気吸込口（第１の空気吸込口）
２０４  第一風路部材
２１１  高圧空気発生装置
２１２  第二風路部材
２１３  支持部
２１４  当接部
２１５  係合部
２１６  配置用空間
３０５  誘引空気混合部
３０７  空気吹出口（第１の空気吹出口）
４００  第１の風路
４０１  第１の下流側風路
４０２  第２の風路
４０３  孔部
４０４  旋回抑制手段
４０５  円筒部
４０６  端部
４０７  リブ部
４０８  上端部
４０９  上端部
【図１】
2016194275.tif 000003
【図２】
2016194275.tif 000004
【図３】
2016194275.tif 000005
【図４】
2016194275.tif 000006
【図５】
2016194275.tif 000007
【図６】
2016194275.tif 000008
【図７】
2016194275.tif 000009
【図８】
2016194275.tif 000010
【図９】
2016194275.tif 000011
【図１０】
2016194275.tif 000012
【図１１】
2016194275.tif 000013